(57)【要約】【課題】眼底撮影の際に、撮影光の対物レンズでの反射光が、撮影像に結像されないように、対物レンズの反射光を効果的に遮光できる眼底カメラを提供する。【解決手段】円柱状の遮光部材（黒点）３１を設けた平面ガラス３０を、遮光部材の被検眼側端面３１ａと撮影絞り３２が、対物レンズ８の被検眼と反対側端面８ｂでの反射光による結像に関して共役になるように、また遮光部材の被検眼と反対側端面３１ｂと撮影絞りが、対物レンズの被検眼側端面８ａでの反射光による結像に関して共役になるように、配置する。このような構成では、平面ガラス内部での多重反射光が発生しても、遮光部材の黒い円柱部内には光が侵入することができないので、対物レンズでの反射光によって形成される中心スポット像をより完全に取り除くことができる。【選択図】図２
2005253811.tif 000002
【特許請求の範囲】
【請求項１】
対物レンズの後方に反射部材を備え、前記反射部材と被検眼の間で照明光路の一部と観察撮影光路の一部が共通化されている眼底カメラにおいて、
照明光路中に配置された所定の厚さの遮光部材と、
前記反射部材の近辺で観察撮影光路に配置された撮影絞りとを有し、
前記遮光部材の被検眼側端面と撮影絞りが、対物レンズの被検眼と反対側端面での反射光による結像に関して共役になっており、前記遮光部材の被検眼と反対側端面と撮影絞りが、対物レンズの被検眼側端面での反射光による結像に関して共役になっていることを特徴とする眼底力メラ。
【請求項２】
前記遮光部材は、平面ガラスと一体化されて照明光路中に配置されることを特徴とする請求項１に記載の眼底カメラ。
【請求項３】
前記遮光部材の被検眼側端面が平面ガラスの被検眼側端面と一致し、前記遮光部材の被検眼と反対側端面が平面ガラスの被検眼と反対側端面と一致していることを特徴とする請求項２に記載の眼底カメラ。
【発明の詳細な説明】
【技術分野】
【０００１】
本発明は、眼底カメラ、更に詳細には、対物レンズの後方に反射部材を備え、反射部材と被検眼の間で照明光路の一部と観察撮影光路の一部が共通化されている眼底カメラに関するものである。
【背景技術】
【０００２】
眼底撮影時の撮影光による対物レンズの反射を防止するために、対物レンズの各面の反射光による撮影絞りの像に共役な位置にそれぞれ黒点を置いていた（例えば、特許文献１、特許文献２）。そして、黒点は、特許文献２に示されるように、通常照明光路に置かれる平面ガラス上に配置され、２個使用されることが一般的であった。また、特許文献３に示されているように、被検眼前眠部の反射防止のために、円柱状の黒点を照明光路に配置する例も知られている。
【０００３】
ところが、平面ガラスの端面で照明光の反射が発生するため、例えば平面ガラス上に配置された黒点の表面反射光が表面ガラスの下に配置された黒点を逆方向から照射してしまい、下の黒点自身が、微弱ではあるが、光源になってしまい、遮光効果が低下して対物レンズでの反射光を引き起こすという問題があった。この場合には、撮影画面の中心に白いスポットのようなアーチファクトが発生し、眼底画像の品質および信頼性の点で問題となっていた。
【特許文献１】特開昭５４−１４１６５３号公報（第３図、第４図）
【特許文献２】特開昭６０−２５４０１２号公報（第１図、第４図、第５図）
【特許文献３】特開昭５８−８６１３８号公報（請求項１、第５図）
【発明の開示】
【発明が解決しようとする課題】
【０００４】
本発明は、上述の問題点を解決するためになされたもので、眼底撮影の際に、撮影光の対物レンズでの反射光が、撮影像に結像されないように、対物レンズでの反射光を効果的に遮光できる眼底カメラを提供することをその課題とする。
【課題を解決するための手段】
【０００５】
上記課題を解決する本発明は、
対物レンズの後方に反射部材を備え、前記反射部材と被検眼の間で照明光路の一部と観察撮影光路の一部が共通化されている眼底カメラにおいて、
照明光路中に配置された所定の厚さの遮光部材と、
前記反射部材の近辺で観察撮影光路に配置された撮影絞りとを有し、
前記遮光部材の被検眼側端面と撮影絞りが、対物レンズの被検眼と反対側端面での反射光による結像に関して共役になっており、前記遮光部材の被検眼と反対側端面と撮影絞りが、対物レンズの被検眼側端面での反射光による結像に関して共役になっていることを特徴とする。
【発明の効果】
【０００６】
本発明では、対物レンズの両面で反射される撮影光は、遮光部材により撮影絞りで点状に集光し除去される。平面ガラス内部での多重反射光が発生しても、遮光部材の黒い円柱部内には光が侵入することができないので、従来のように黒点表面が間接照明されることがなく、対物レンズでの反射光によって形成される中心スポット像をより完全に取り除くことができる、という効果が得られる。また、本発明では、円柱状の黒点を平面ガラスに埋め込むことにより、遮光部材が平面ガラスと一体化されるので、平面ガラスの両端面に現れる黒点の同芯度が維持されており、同芯合わせ作業が不要になる、という効果も得られる。
【発明を実施するための最良の形態】
【０００７】
本発明は、撮影絞りの位置と黒点を設けた平面ガラスの表面の位置を、対物レンズでの表面反射光による結像に関して共役な位置になるようにしている。この場合、対物レンズの表面反射光は対物レンズの前後２箇所、すなわち、被検眼側の端面とその反対側の端面で発生する。そこで、平面ガラスの被検眼側の黒点位置からの光が、対物レンズの被検眼と反対側端面により反射されて撮影絞りの位置に結像されるように、また、平面ガラスの被検眼と反対側の黒点位置からの光が、対物レンズの被検眼側端面により反射されて撮影絞りの位置に結像されるように光学系を構成する。そして、本発明では、平面ガラスの両黒点間の空間を遮光物により埋め、両黒点間に平面ガラスの端面反射光が入り込まないようにしている。
【０００８】
以下、図面に示す実施例に基づき、本発明を詳細に説明する。
【実施例】
【０００９】
図１に本発明に係る眼底カメラを示す。図１において、観察用光源であるランプＬＡがミラーＭ１の中心に配置され、このランプＬＡから発せられた光は、コンデンサーレンズ１、ストロボＳＲ、コンデンサーレンズ２を経て、全反射ミラーＭ２によって反射され、続いてレンズ３、リング状照明を形成するためのリングスリット４、レンズ５、対物レンズ８の反射を除去するための遮光部材（黒点）３１を備えた平面ガラス３０、リレーレンズ７を通過し、中心に穴の開いた穴あき全反射ミラー（反射部材）Ｍ３で反射されてから対物レンズ８を経て、被検眼Ｅの瞳Ｅｐより眼底Ｅｒに入射される。
【００１０】
眼底Ｅｒからの反射光は再び瞳Ｅｐから対物レンズ８を介して受光され、穴あき全反射ミラーＭ３の穴を通過してその背後に配置された撮影絞り３２で絞られ、合焦レンズ９、結像レンズ１０を通過して、リターンミラーＭ４に入射する。リターンミラーＭ４の背後には、フィルム１１が配置される。
【００１１】
リターンミラーＭ４、および後述のミラー２２は不図示の駆動手段を介して光路から外せるように構成されており、これらのミラーの初期位置は図１では実線により示されている。
【００１２】
リターンミラーＭ４に入射した光は、視野絞り２０、フィールドレンズ２１を経て、ミラー２２で反射され、レンズ２５を経て、赤外ＣＣＤカメラ２６に入射する。ミラー２２が光路から離脱される場合は、眼底像は、レンズ２３を経てカラーＣＣＤカメラ２４に入射する。
【００１３】
ＣＣＤカメラ２４、２６で撮像された眼底の動画あるいは静止画は、記録装置やモニタ（いずれも不図示）に記録したりあるいは表示される。
【００１４】
このような眼底カメラでは、全反射ミラー（反射部材）Ｍ３と被検眼の間で照明光路の一部と観察撮影光路の一部が共通化されており、眼底観察時には、赤外光を透過させ可視光をカットするフィルタＦが光路に挿入され、眼底が照明光学系により照明される。そして、眼底からの反射光が、撮影光学系を介して赤外ＣＣＤカメラ２６に入射し眼底画像が動画像として観察される。アライメントや合焦が終了すると、フィルタＦが光路から離脱されるとともに、ストロボＳＲが発光し、眼底画像がフィルム１１あるいはカラーＣＣＤカメラ２４で撮影される。フィルム１１に撮影する場合には、リターンミラーＭ４が光路から離脱され、カラーＣＣＤカメラ２４で撮影される場合には、リターンミラーＭ４が光路に挿入され、ミラー２２が光路から離脱される。
【００１５】
眼底カメラでは、眼底撮影時の撮影光が対物レンズ８で反射してその反射光が結像して撮影されるために、これを防止するために、遮光部材（黒点）を、照明光路中で撮影絞りと共役な位置に配置することが行われている。例えば、図３（Ａ）に示したように、黒点４２を設けた平面ガラス４０と、黒点４３を設けた平面ガラス４１の２枚を使用して、対物レンズの両面反射を各々除去することが行われている。この構成では、下に配置した黒点４３の表面が間接照明されてしまうため、中心スポットを完全に取り除くことができない、という欠点があるとともに、上の黒点４２と下の黒点４３の同芯合せを行うための作業が必要になる、という欠点があり、好ましい構成ではない。
【００１６】
また、図３（Ｂ）に示したように、１枚の平面ガラス４４の上面と下面各々に黒点４５、４６を設ける構成の場合には、最初から上下の黒点の同芯を出しておければ芯を合せる作業は不必要なので、図３（Ａ）の構成より良いが、それでもガラス内部の反射戻り光が下の黒点４６を照明してしまうので、黒点の効果が半減し、中心スポットが残ってしまう。
【００１７】
そこで、本実施例では、図３（Ｃ）に示したように、黒点として機能する円柱状の遮光部材３１を平面ガラス３０に貫通させ一体化した構造にしている。その場合、遮光部材３１の被検眼側端面３１ａを平面ガラス３０の被検眼側端面３０ａと一致させ、また遮光部材３１の被検眼と反対側端面３１ｂを平面ガラス３０の被検眼と反対側端面３０ｂと一致させ、平面ガラス３０の各端面で、遮光部材３１が円形の黒点として現れるようにしている。
【００１８】
このように構成された平面ガラスを、図１に示したように、照明光路のレンズ５とリレーレンズ７間に配置し、その際、図２（Ａ）に示したように、遮光部材３１の被検眼側端面３１ａと撮影絞り３２が、対物レンズ８の被検眼と反対側端面８ｂでの反射光による結像に関して共役になるように、また図２（Ｂ）に示したように、遮光部材３１の被検眼と反対側端面３１ｂと撮影絞り３２が、対物レンズ８の被検眼側端面８ａでの反射光による結像に関して共役になるように、平面ガラス３０を配置する。
【００１９】
このような構成では、平面ガラス３０内部での多重反射光が発生しても、遮光部材３１の黒い円柱部内には光が侵入することができないので、従来のように黒点表面が間接照明されることがなく、対物レンズ８での反射光によって撮影絞り３２に形成される中心スポット像をより完全に取り除くことができる。
【００２０】
また、本実施例では、例えば、平面ガラス３０に穴を貫通させ、この貫通穴に黒ボンドを充填して円柱状の黒点を埋め込んで、遮光部材を平面ガラスと一体化することができるので、平面ガラスの両端面に現れる黒点の同芯度が維持されており、同芯合わせ作業が不要になる、という効果も得られる。
【図面の簡単な説明】
【００２１】
【図１】本発明の眼底カメラの光学系の構成を示した構成図である。
【図２】（Ａ）は、対物レンズの被検眼と反対側の端面での反射光の結像を説明する説明図、（Ｂ）は、対物レンズの被検眼側端面での反射光の結像を説明する説明図である。
【図３】（Ａ）は、黒点を異なる平面ガラス上に設けたときの反射を説明する説明図、（Ｂ）は２つの黒点を同じ平面ガラス上に設けたときの反射を説明する説明図、（Ｃ）は本発明により一つの平面ガラス上に円柱状の黒点を一体化したときの反射を説明する説明図である。
【符号の説明】
【００２２】
８  対物レンズ
２４、２６  ＣＣＤカメラ
３０  平面ガラス
３１  遮光部材（黒点）
３２  視野絞り
ＬＡ  ランプ
Ｍ４  リターンミラー
ＳＲ  ストロボ
【図１】
2005253811.tif 000003
【図２】
2005253811.tif 000004
【図３】
2005253811.tif 000005